(57)【要約】【課題】  試料の観察時間ロスを削減でき、組み立てが簡単にできること。【解決手段】  作業スタンド１１に立設し固定された支柱１３と、該支柱１３に保持されかつ試料５１を拡大して映し見る拡大レンズ２５とを含み、前記拡大レンズ２５の視野内で前記試料５１を映し見ることができる前記試料５１面を除く前記作業ステージ１１上の前記試料５１の周面を前記拡大レンズ２５の視野内で映し見ることができるよう前記作業ステージ１１上の前記試料５１の周辺に配される少なくとも１つの鏡３５を有する。【選択図】図１
2008241859.tif 000002
【特許請求の範囲】
【請求項１】
作業スタンドと、該作業スタンドの一部をなし試料を載せる作業ステージと、前記作業スタンドに立設し固定された支柱と、該支柱に保持されかつ前記試料を拡大して映し見る拡大レンズとを含むスタンド型拡大鏡装置において、
前記拡大レンズの視野内で前記試料を映し見ることができる前記試料面を除く前記作業ステージ上の前記試料の周面を前記拡大レンズの視野内で映し見ることができるよう前記作業ステージ上の前記試料の周辺に配される少なくとも１つの鏡を有することを特徴とするスタンド型拡大鏡装置。
【請求項２】
請求項１記載のスタンド型拡大鏡装置において、前記鏡は、前記鏡の位置を自由に配置することができるよう前記拡大レンズを保持するための前記支柱又は前記作業ステージの側面に連結アーム又はフレキシブルアームを介して取り付け、取り外し可能に保持されることを特徴とするスタンド型拡大鏡装置。
【発明の詳細な説明】
【技術分野】
【０００１】
本発明は、試料を拡大して映し出し観察するために用いるスタンド型拡大鏡装置に関する。
【背景技術】
【０００２】
先行技術としては、作業テーブルと一体の架台に支柱が立設され、支柱にホルダが昇降自在に取り付けられている拡大鏡ユニットを有する拡大鏡スタンドが知られている（例えば、特許文献１を参照）。
【０００３】
この拡大鏡スタンドは、このホルダに円形の凸レンズを用いた拡大鏡と環状照明灯とをランプシェードで覆った拡大鏡ユニットが微動機構を介して昇降自在に保持されている。
【０００４】
【特許文献１】特開２０００−１３７１７４号公報（公報の段落［００１１］、［図１］）
【発明の開示】
【発明が解決しようとする課題】
【０００５】
特許文献１の拡大鏡スタンドでは、試料を拡大鏡によって拡大して観察することができるが、拡大鏡の視野内で観察することができる試料面の範囲が限られる。即ち、拡大鏡の視野内で観察することができない試料の周面を観察するには、手の指によって試料を持ち、観察できない面を拡大レンズの範囲内へ回転・移動させて観察しなければならないという不具合がある。
【０００６】
したがって、拡大鏡では、観察できない試料面を回転・移動させて観察することから、一つの試料を観察する時間ロスを伴う。また、多くの試料を一つずつ観察する場合には、試料を観察するための時間が累積されることから作業時間ロスがさらに多くなるという問題がある。
【０００７】
それ故に、本発明の課題は、試料の観察時間ロスを減少できるスタンド型拡大鏡装置を提供することにある。
【０００８】
また、本発明の他の課題は、拡大レンズの視野内で見ることができない試料面を、簡単な構成によって鏡を組み付けて観察することができ、さらに鏡の取り外しが容易なスタンド型拡大鏡装置を提供することにある。
【課題を解決するための手段】
【０００９】
本発明は、作業スタンドと、該作業スタンドの一部をなし試料を載せる作業ステージと、前記作業スタンドに立設し固定された支柱と、該支柱に保持されかつ前記試料を拡大して映し見る拡大レンズとを含むスタンド型拡大鏡装置において、前記拡大レンズの視野内で前記試料を映し見ることができる前記試料面を除く前記作業ステージ上の前記試料の周面を前記拡大レンズの視野内で映し見ることができるよう前記作業ステージ上の前記試料の周辺に配される少なくとも１つの鏡を有することを特徴とするスタンド型拡大鏡装置であることを最も主要な特徴とする。
【発明の効果】
【００１０】
本発明のスタンド型拡大鏡装置は、拡大レンズの視野内で拡大レンズを通して試料を映し見ることができると共に、本来、拡大レンズを通して観察することができない試料の周面を、拡大レンズの視野内で少なくとも一つの鏡に反射させて拡大レンズによって映し出して見ることができる。
【００１１】
したがって、本発明のスタンド型拡大鏡装置では、試料を拡大して観察するための作業時間ロスを少なくすることができるという利点がある。
【００１２】
また、本発明のスタンド型拡大鏡装置では、作業ステージに鏡を簡単に組み付けることができ、さらに、鏡を簡単に取り外することができる利便性に優れたスタンド型拡大鏡装置を提供できる。
【発明を実施するための最良の形態】
【００１３】
本発明のスタンド型拡大鏡装置は、作業スタンドと、該作業スタンドの一部をなし試料を載せる作業ステージと、前記作業スタンドに立設し固定された支柱と、該支柱に保持されかつ前記試料を拡大して映し見る拡大レンズとを含むスタンド型拡大鏡装置において、前記拡大レンズの視野内で前記試料を映し見ることができる前記試料面を除く前記作業ステージ上の前記試料の周面を前記拡大レンズの視野内で映し見ることができるよう前記作業ステージ上の前記試料の周辺に配される少なくとも１つの鏡を有することによりに実現した。
【実施例１】
【００１４】
図１は、本発明に係るスタンド型拡大鏡装置の実施例１を示している。図１を参照して、スタンド型拡大鏡装置は、作業スタンド１１と、作業スタンド１１に設けられている支柱１３と、支柱１３に保持される拡大鏡ユニット２１と、支柱１３に保持される第１の鏡ユニット３１とを有する。
【００１５】
作業スタンド１１は、平板状の作業ステージ１５と、作業ステージ１５の一辺側に隣接して形成されている台部１６とを有する。
【００１６】
作業ステージ１５の上面は、試料５１を載せる平面状のステージ面１５ａとなっている。台部１６は、ステージ面１５ａよりも上方に位置している。支柱１３はパイプ状のものであり、この支柱１３がステージ面１５ａに対して垂直方向に立設されており、支柱１３の下部が台部１６の一部に固定されている。
【００１７】
ここで、支柱１３と平行な方向を縦方向Ｉと呼び、支柱１３と交差する方向を横方向IIと呼び、以下の説明をする。
【００１８】
拡大鏡ユニット２１は、縦方向Ｉの上下方向で支柱１３に昇降自在に取り付けられる拡大鏡ホルダ機構２３と、拡大鏡ホルダ機構２３の一端側で拡大鏡ホルダ機構２３と連結されているランプシェード２４と、ランプシェード２４の内側に設けられている拡大レンズ２５とを有する。
【００１９】
拡大鏡ホルダ機構２３は、支柱１３を挿通する挿通孔（図示せず）が形成されているパイプ状の縦支持部２６と、縦支持部２６と交差する方向に延びている棒状の連結アーム２７と、連結アーム２７を横方向IIで移動自在に支持している略箱状のヒンジ部２８と、ヒンジ部２８に連結されている略箱状の横支持部２９とを有する。
【００２０】
ヒンジ部２８は縦支持部２６に固定されている。ランプシェード２４と横支持部２９とはこれらが一体に固定されている。ヒンジ部２８とランプシェード２４とは、これらが横支持部２９を介して連結されている。ランプシェード２４は、拡大レンズ２５の周辺部を保持している。拡大レンズ２５としては、凸レンズを採用している。ランプシェード２４の内部には、環状の照明灯（図示しない）が設けられている。
【００２１】
縦支持部２６には、支柱用ハンドル２６ａが取り付けられている。支柱用ハンドル２６ａは雄ネジ部２６ｂを有する。支柱用ハンドル２６ａの雄ネジ部２６ｂは、縦支持部２６に形成されている雌ネジ孔（図示せず）に螺合している。
【００２２】
雄ネジ部２６ｂの先端部は、支柱用ハンドル２６ａを一方向へ回転させることによって支柱１３を押し付け締め付けるので、拡大鏡ユニット２１が支柱１３の縦方向Iで所望する高さ位置に固定される。
【００２３】
また、支柱用ハンドル２６ａは、拡大鏡ユニット２１が支柱１３に固定されている状態から一方向とは逆向きの他方向へ回転させることにより、雄ネジ部２６ｂによる支柱１３への締め付けが解除される。したがって、拡大鏡ユニット２１は、支柱１３の縦方向Ｉで上下方向にを昇降自在に移動させることができる。また、支柱用ハンドル２６ａの雄ネジ部２６ｂによる締め付けが解除されているときには、支柱１３から拡大鏡ユニット２１を取り外すことができる。
【００２４】
ヒンジ部２８には、アーム用ハンドル２８ａが取り付けられている。アーム用ハンドル２８ａは雄ネジ部２８ｂを有する。アーム用ハンドル２８ａの雄ネジ部２８ｂは、ヒンジ部２８に形成されている雌ネジ孔（図示せず）に螺合している。
【００２５】
アーム用ハンドル２８ａは、一方向へ回転させると雄ネジ部２８ｂの先端部が連結アーム２７を押し付け締め付けるので、連結アーム２７が横方向IIで所定の長さに固定することができる。
【００２６】
また、アーム用ハンドル２８ａは、連結アーム２７が雄ネジ部２８ｂにより固定された状態で、アーム用ハンドル２８ａを他方向へ回転させることにより、雄ネジ部２８ｂによる連結アーム２７への締め付けが解除される。
【００２７】
したがって、連結アーム２７は、横方向IIで移動させることができる。このとき、拡大レンズ２５を含むランプシェード２４及び横支持部２９は、横方向IIへ移動自在となる。
【００２８】
横支持部２９には、連結アーム２７の一端部が保持されている。さらに、横支持部２９には支持ハンドル２９ａが取り付けられている。支持ハンドル２９ａは雄ネジ部２９ｂを有する。支持ハンドル２９ａの雄ネジ部２９ｂは、横支持部２９に形成されている雌ネジ孔（図示せず）に螺合している。
【００２９】
この支持ハンドル２９ａは、一方向へ回転させることによって雄ネジ部２９ｂの先端部が支持ハンドル２９ａの内方へ延びているヒンジ部２８の一部を押し付け締め付けることによって、雄ネジ部２９ｂを支点としてランプシェード２４の横方向IIと交差する方向への角度を所望する角度で固定することができる。
【００３０】
また、支持ハンドル２９ａは、雄ネジ部２９ｂにってヒンジ部２８を固定した状態から他方向へ回転させると雄ネジ部２９ｂの締め付けが解除されるので、雄ネジ部２９ｂを支点として横方向IIと直交する上下方向の角度を自由に調整することができる。拡大鏡ユニット２１の拡大レンズ２５を含むランプシェード２４は、このような取り付けによって作業ステージ１５のステージ面１５ａの上方に位置する。
【００３１】
また、拡大レンズ２５を含むランプシェード２４は、支柱用ハンドル２６ａの雄ネジ部２６ｂによる支柱１３への締め付けを解除したときに、ステージ面１５ａと平行な方向へ支柱１３を軸として軸廻りに回動させることができる。
【００３２】
第１の鏡ユニット３１は、図２にも示すように、支柱１３に保持される第１の鏡ホルダ機構３３と、第１の鏡ホルダ機構３３に保持されている第１の鏡３５とを有する。
【００３３】
第１の鏡ホルダ機構３３は、支柱１３が挿通する挿通孔（図示せず）が形成されている支柱１３に取り付けるパイプ状の第１の縦支持部３６と、第１の縦支持部３６と交差する横方向IIに延びている第１の連結アーム３７と、第１の連結アーム３７を挿通して支持しかつ第１の縦支持部３６と固定している第１の横支持部３８とを有する。
【００３４】
さらに、第１の鏡ホルダ機構３３は、第１の鏡３５の裏面に設けられている第１の固定部３９と、第１の固定部３９に設けられている第１のピン４１と、第１の連結アーム３７及び第１の固定部３９間を連結している第１のフレキシブルアーム４３とを有する。
【００３５】
第１の縦支持部３６は、支柱１３を挿通した状態で支柱１３に縦方向Ｉで昇降自在に取り付けられている。第１の縦支持部３６には、第１の縦支柱用ハンドル３６ａが取り付けられている。第１の縦支柱用ハンドル３６ａは雄ネジ部３６ｂを有する。
【００３６】
第１の縦支柱用ハンドル３６ａの雄ネジ部３６ｂは第１の縦支持部３６に形成されている雌ネジ孔（図示せず）に螺合している。第１の縦支柱用ハンドル３６ａは、一方向へ回転させて雄ネジ部３６ｂの先端部が支柱１３を押し付けて締め付けることによって、第１の鏡ユニット３１が支柱１３の所望する高さ位置に固定される。
【００３７】
また、第１の縦支柱用ハンドル３６ａは、第１の鏡ユニット３１が支柱１３に固定されている状態から他方向へ回転させると、雄ネジ部３６ｂによる支柱１３への締め付けが解除されるので、第１の鏡ユニット３１を支柱１３に沿って縦方向Ｉの上下方向で昇降自在に移動させることができる。
【００３８】
なお、第１の鏡ユニット３１が支柱１３に固定されている状態から他方向へ回転させると、雄ネジ部３６ｂによる支柱１３への締め付けが解除されるので、第１の鏡ホルダ機構３３を支柱１３から取り外すことができる。
【００３９】
第１の横支持部３８には、第１の横支持ハンドル３８ａが取り付けられている。第１の横支持ハンドル３８ａは雄ネジ部３８ｂを有する。第１の横支持ハンドル３８ａの雄ネジ部３８ｂは、第１の横支持部３８に形成されている雌ネジ孔（図示せず）に螺合している。
【００４０】
第１の横支持ハンドル３８ａは、一方向へ回転させること雄ネジ部３８ｂの先端部が第１の連結アーム３７を押し付け締め付けることによって、第１の鏡３５の横方向IIへの移動ができないように固定することができる。
【００４１】
また、第１の横支持ハンドル３８ａは、雄ネジ部３８ｂによって第１の連結アーム３７を固定した状態から他方向へ回転させると、雄ネジ部３８ｂの締め付けが解除されるので、第１の鏡３５の横方向IIへの移動を自由に調整することができる。
【００４２】
また、第１の鏡３５は、第１の縦支持ハンドル３６ａの雄ネジ部３６ｂによる支柱１３への締め付けを解除したときに、ステージ面１５ａと平行な方向へ支柱１３を軸として回動させることができる。
【００４３】
さらに、第１の鏡３５は、横方向IIへの移動のみならず、第１のフレキシブルアーム４３を上下左右方向、斜め方向に変位させることができるので自由な角度で第１の鏡３５の位置を変更できる。
【００４４】
第１の鏡ユニット３１は、このような取り付けによって作業ステージ１５のステージ面１５ａの上方に位置する。なお、第１のフレキシブルアーム４３は、フレキシブルパイプもしくはフレキシブル支柱である。
【００４５】
図３及び図４は、作業ステージ１５のステージ面１５ａ上に載せられた六面立方体の試料５１を拡大レンズ２５によって観察した状態を示している。図３は、図１に示した試料５１を左側から観察している状態を示している。図４は、拡大レンズ２５を通して拡大された試料５１を観察している状態を示している。
【００４６】
拡大レンズ２５を通して試料５１の観察を行うときには、試料５１を作業ステージ１５のステージ面１５ａ上に載せる。そして、拡大レンズ２５を図４に示したように拡大して観察するために、拡大鏡ユニット２１の拡大鏡ホルダ機構２３を調整することによって所定位置に拡大レンズ２５を位置させる。
【００４７】
拡大レンズ２５を所定位置に位置させるには、縦支持部２６の支柱用ハンドル２６ａの雄ネジ部２６ｂによる支柱１３への締め付けを解除した状態で、支柱１３に対して縦支持部２６を縦方向Ｉで上下に昇降移動させる。この際、拡大鏡ユニット２１は、支柱１３に対して軸廻りに縦支持部２６を回動させて所望する位置へ移動させる。その後、支柱用ハンドル２６ａを一方向へ回転させて支柱１３に縦支持部２６を固定する。また、連結アーム２７は、アーム用ハンドル２８ａを他方向へ回転させて横方向IIへ移動し、拡大レンズ２５の範囲内に試料５１が映るようにする。
【００４８】
さらに、支持ハンドル２９ａを他方向へ回転させておき、拡大レンズ２５の傾き角度を調整してからアーム用ハンドル２８ａ，支持ハンドル２９ａを一方向へ回転させてに締め付けることにより固定する。このように位置決めた拡大レンズ２５から図４に示した試料５１の上面５１ａである「２」面のを拡大して観察することができる。
【００４９】
図１に示した試料５１の「Ｂ」面と対向している後面の「Ａ」面を観察するには第１の鏡ユニット３１を用いる。この際、第１の縦支柱用ハンドル３６ａを他方向へ回転させ、第１の縦支持部３６を支柱１３に対して縦方向Ｉの上下に昇降させる。この際、第１の縦支持部３６を支柱１３の軸廻りに移動して第１の鏡３５が試料５１の後面の「Ａ」面に対向するように移動させる。その後、第１の縦支柱用ハンドル３６ａを締め付けることにより支柱１３に第１の縦支持部３６を固定する。
【００５０】
そして、第１の横支持ハンドル３８を他方向へ回転させた状態で、第１の連結アーム３７を横方向IIへ移動させて第１の鏡３５が試料５１の後面の「Ａ」面に対向させる。
【００５１】
その後、第１の横支持ハンドル３８を一方向へ回転させて、第１の連アーム３７を押し付け締め付けることによって、第１の鏡３５の横方向IIへ移動しないように固定する。さらに、試料５１に対する第１の鏡３５の位置は、第１のフレキシブルアーム４３によって調整しておく。
【００５２】
このように拡大鏡ユニット２１の拡大鏡ホルダユニット２３及び第１の鏡ホルダユニット２１の第1の鏡ホルダ機構３３調整することにより、試料５１の「２」面と共に、試料５１の裏面５１ｃが第１の鏡３５によって映しだされ、映し出された試料５１´の裏面５１ｃ´の「Ａ」面を拡大レンズ２５を通して観察することができる。
【００５３】
なお、通常、試料５１は、図４に示したように、試料５１を両手の指により持ち、試料５１面を少し動かしながら観察する。この際、試料５１の「Ａ」面は、試料５１を拡大レンズ２５に対向するように回転させなくても、試料５１を少し動かすだけで第１の鏡３５において反射させた映像を拡大レンズ２５によって観察することができる。
【実施例２】
【００５４】
図５は、本発明に係るスタンド型拡大鏡装置の実施例２を示している。なお、図４において、実施例１によって説明した部分と同じ部分の説明は省略する。
【００５５】
図５を参照して、スタンド型拡大鏡装置は、拡大鏡ユニット２１及び第１の鏡ユニット３１の他に、作業スタンド１１に着脱可能に保持される第２の鏡ユニット６１を有する。
【００５６】
第２の鏡ユニット６１は、第２の鏡ホルダ機構６３と、第２の鏡ホルダ機構６３に連結されている第２の鏡６５とを有する。
【００５７】
第２の鏡ホルダ機構６３は、第２の連結アーム６７と、第２の連結アーム６７を挿通して支持しているブロック状の第２の支持部６８と、第２の鏡６５の裏面に設けられている第２の固定部６９とを有する。
【００５８】
さらに、第２の鏡ユニット６１は第２の固定部６９に設けた第２のピン７１と、第２の固定部６９に連結している第２のフレキシブルアーム７３と、第２のフレキシブルアーム７３の一端側に連結されている第２の縦支持アーム７５とを有する。
【００５９】
第２の連結アーム６７は、第２の支持部６８において横方向IIに形成されている貫通孔（図示せず）に挿通しており、横方向IIで移動可能となっている。第２の縦支持アーム７５は、第２の支持部６８において縦方向Ｉに形成されている貫通孔（図示せず）を挿通しており、縦方向Ｉに移動可能となっている。第２の連結アーム６７の一端部は、第２の固定部６９に連結されている。
【００６０】
第２のフレキシブルアーム７３の他端部には雄ネジ部７３ａが設けられている。第２のフレキシブルアーム７３は、フレキシブルパイプもしくはフレキシブル支柱である。
【００６１】
第２の支持部６８には、第２の縦支持ハンドル７７が取り付けられている。第２の縦支持ハンドル７７は雄ネジ部７７ａを有する。第２の縦支持ハンドル７７の雄ネジ部７７ａは、第２の支持部６８に形成されている雌ネジ孔（図示せず）に螺合している。
【００６２】
この第２の縦支持ハンドル７７は、一方向へ回転し、雄ネジ部７７ａの先端部が第２の縦支持アーム７５を押し付けて締め付けることによって、第２の縦支持アーム７５が所望する位置で固定される。
【００６３】
また、第２の縦ハンドル７７ａは、第２の縦支持アーム７５が第２の支持部６８に固定されている状態から他方向へ回転させると、雄ネジ部７７ａによる第２の縦支持アーム７５への締め付けが解除されるので、縦方向Ｉへ移動させることができる。さらに、雄ネジ部７７ａによる第２の縦支持アーム７５への締め付けが解除されているときには、第２の縦支持アーム７５の軸廻りに第２の支持部６５を回動させることができる。
【００６４】
第２の縦ハンドル７７ａは、第２の縦支持アーム７５が第２の支持部６８に固定されている状態から他方向へ回転させると、雄ネジ部７７ａの先端部による第２の縦支持アーム７５への締め付けが解除されるので、第２の縦支持アーム７５を第２の支持部６８から取り外すことができる。
【００６５】
第２の支持部６８には、第２の横支持ハンドル７８が取り付けられている。第２の横支持ハンドル７８は雄ネジ部７８ａを有する。第２の横支持ハンドル７８の雄ネジ部７８ａは、第２の支持部６８に形成されている雌ネジ孔（図示せず）に螺合している。
【００６６】
この第２の横支持ハンドル７８は、一方向へ回転させること雄ネジ部７８ａの先端面が第２の連結アーム６７を押し付け締め付けるので、第２の鏡６５の横方向IIへ移動しないように固定することができる。
【００６７】
また、第２の横支持ハンドル７８は、雄ネジ部７８ａによって第２の連結アーム６７を固定した状態から他方向へ回転させると雄ネジ部７８ａの締め付けが解除されるので、横方向IIへの移動を自由に調整することができる。さらに、第２の横支持ハンドル７８の雄ネジ部７８ａによる締め付けが解除されているときには、第２の支持部６８に対して第２の連結アーム６７を軸廻りで回動させることができる。
【００６８】
さらに、第２の横支持ハンドル７８は、雄ネジ部７８ａによって第２の連結アーム６７を固定した状態から他方向へ回転させると雄ネジ部７８ａの締め付けが解除されるので、第２の支持部６８から第２の連結アーム６７から取り外すことができる。
【００６９】
フレキシブルアーム７３の先端部には、作業ステージ１５に第２鏡ユニット６１を取り付ける取付け部としての雄ネジ部７３ａが設けられている。作業ステージ１５の側面１５ｂ，１５ｃ、１５ｄそれぞれには、第２のフレキシブルアーム６８の雄ネジ部７３ａを挿入して取り付ける相手取付け部としての雌ネジ孔１６ｂ，１６ｃ、１６ｄが設けられている。
【００７０】
作業ステージ１５には、ステージ面１５ａ及び雌ネジ孔１６ｂ，１６ｃ、１６ｄ間を貫通している固定用孔１７ｂ，１７ｃ、１７ｄが形成されている。固定用孔１７ｂ，１７ｃ、１７ｄのそれぞれには雌ネジ（図示せず）が形成されている。固定用孔１７ｂ，１７ｃ、１７ｄには、雄ネジ１７を螺合することによってフレキシブルアーム７８の雄ネジ部７３ａが雌ネジ孔１６ｂ，１６ｃ、１６ｄと固定される。
【００７１】
したがって、第２のフレキシブルアーム７８の一端部は、作業ステージ１５に固定することができる。また、第２のフレキシブルアーム７８は、一端部が作業ステージ１５に固定された状態で、上下左右方向や斜め方向へ自由に変位させることができる。
【００７２】
拡大レンズ２５を通して試料５１の観察を行うときには、試料５１を作業ステージ１５のステージ面１５ａ上に載せる。そして、拡大レンズ２５を図４に示したように試料５１の上面５１ａの「２」の部分を拡大して観察するために、拡大鏡ユニット２１の拡大鏡ホルダ機構２３を調整することによって所定位置に拡大レンズ２５を位置させる。
【００７３】
また、試料５１は、実施例１によって説明したように、試料５１の前面である「Ｂ」面と対向している後面の「Ａ」面を観察するめに、第１の鏡ホルダ機構３３によって第１の鏡３５の高さや傾きを調整して第１の鏡ユニット３１を所定位置に配置する。
【００７４】
さらに、拡大レンズ２５を通して試料５１の上面５１ａ及び前面である「Ｂ」面と共に、その他の面、即ち、試料５１の側面である「１」面、「１」面と対向する側面、前面である「Ｂ」面のいずれかを観察する場合には、第２の鏡ユニット６１の第２の鏡６５を、観察したい試料５１の面の周辺に位置させる。
【００７５】
試料５１の所望する他の面、例えば、試料５１の側面である「１」面を観察するには、作業ステージ１５のステージ面１５ａの固定用孔１７ｄに第２のフレキシブルアーム７８の雄ネジ部７３ａを螺合して挿入し、第２のフレキシブルアーム７８の雄ネジ部７３ａを作業ステージ１５の側面１５ｄに設けられている雄ネジ孔１６ｄに固定する。
【００７６】
その後、第２のフレキシブルアーム７８を上下左右方向や斜め方向へ動かして変位させると共に、第２の縦支持ハンドル７７ａを他方向へ回転操作して第２の縦支持アーム７５を縦方向Ｉへ移動して試料５１の「１」面に対向するように調整する。このとき、第２の縦支持アーム７５の軸廻りに回動させて試料５１の「１」面に対向するように調整する。
【００７７】
次に、第２の縦支持ハンドル７７ａを一方向へ回転操作して第２の縦支持アーム７５を所望する位置に固定する。第２の横支持ハンドル７８は、他方向へ回転操作してから第２の連結アーム６７を第２の鏡６５の横方向IIへ移動させる。その後、第２の横支持ハンドル７８を一方向へ回転操作することによって拡大レンズ２５から試料５１の側面である「１」面が第２の鏡６５の反射によって映し見える位置で固定する。この際、第２のフレキシブルアーム７３は、第２のフレキシブルアーム７３の直線軸に対して上下左右方向、斜め方向へ自由に変位するので、試料５１の「１」面と第２の鏡６５との位置関係を速やかに行うことができる。
【００７８】
このようにして、試料５１の「１」面は、第２の鏡６５によって映し出され、この映し出された試料５１の「１」面を観察する。なお、通常、試料５１は、図４に示したように、試料５１を両手の指により持ち、試料５１面を動かしながら観察する。この際、試料５１の「１」面は、試料５１を拡大レンズ２５に対向するように回転しなくても、第２の鏡６５において反射させた映像によって映し観察することができる。
【００７９】
同様に、試料５１の前面である「Ｂ」面もしくは試料５１の「１」面と対向する面の観察においても、第２鏡ユニット６１を周辺に対向させるように、第２のフレキシブルアーム７３の雄ネジ部７３ａを試料ステージ１７の雌ネジ孔１６ｂもしくは雌ねじ孔１６ｃに固定する。この作業により試料５１をよびに持ち、拡大レンズ２５に対向するように回転操作しなくても、第２の鏡６５において反射させた映像によって映し観察することができる。
【００８０】
実施例１及び実施例２によって説明したスタンド型拡大鏡では、拡大レンズ２５の視野内で試料５１の上面である「２」面を拡大して観察することができるほか、少なくとも第１の鏡３５又は第２の鏡６５によって試料５１の周面を拡大レンズ５１の視野内で適宜に拡大して映し見ることができる。
【００８１】
また、第２の鏡ユニット６１は、第２の鏡ホルダ機構６３における雄ネジ部７３ａを第１の鏡ユニット６１に代えて、試料５１の裏面である「Ａ」面を観察することも可能である。この場合には、作業ステージ１５の裏面に第２のフレキシブルアーム６８の雄ネジ部７３ａを挿入して取り付ける雌ネジ孔を設けることによっても実現できる。
【００８２】
また、第２のフレキシブルアーム６８の雄ネジ部７３ａは、必ずしも雄ネジ部７３ａでなくてもよい。即ち、第２のフレキシブルアーム６８の雄ネジ部７３ａは、多角形状の角柱ボルトとして、作業ステージ１５に設ける雌ネジ孔１６ｂ，１６ｃ、１６ｄを多角形状の角柱ボルトが挿入できる多角形状の孔としても良い。また、第１及び第２の鏡３５，６５は等倍の鏡もしくは広角な鏡を用いる。
【００８３】
また、実施例１及び実施例２においては、ランプシェード２４によって拡大レンズ２５が覆われている構成の拡大鏡ユニット２１について説明したが、これに限らず、ランプシェード２４を持たない拡大レンズ２５が横支持部２９を介してフランジ部２８に連結されている拡大鏡ユニット２１であってもよい。
【００８４】
さらに、スタンド型拡大鏡装置は、環状の照明灯及び照明灯に接続する配線を除く部分を樹脂材及び金属材を選択して製作することができる。
【産業上の利用可能性】
【００８５】
本発明にかかるスタンド型拡大鏡装置は、極小型の電気部品や電子部品などを拡大レンズによって拡大して観察し検査することにより、肉眼では見え難い部分の欠陥を見出す検査用のスタンド型拡大鏡装置としての用途に適用できる。
【図面の簡単な説明】
【００８６】
【図１】本発明に係るスタンド型拡大鏡装置の実施例１を示す斜視図である。
【図２】図１に示した第２の鏡ユニットを裏側から見た状態の斜視図である。
【図３】図１に示した試料を第２の鏡ユニットの第２の鏡及び拡大レンズによって観察するときの概略形態を示した側面図である。
【図４】図３に示した第２の鏡に映した試料を拡大レンズを通して見た状態を示す図である。
【図５】本発明に係るスタンド型拡大鏡装置の実施例２を示す斜視図である。
【符号の説明】
【００８７】
１１    作業スタンド
１３    支柱
１５    作業ステージ
１５ａ    ステージ面
１６    台部
１６ｂ，１６ｃ、１６ｄ    雌ネジ孔
１７ｂ，１７ｃ、１７ｄ    固定用孔
２１    拡大鏡ユニット
２３    拡大鏡ホルダ機構
２４    ランプシェード
２５    拡大レンズ
２６    縦支持部
２６ａ    支柱用ハンドル
２６ｂ、２８ｂ、２９ｂ、３６ｂ、３８ｂ，７７ａ、７８ａ    雄ネジ部
２７    連結アーム
２８    ヒンジ部
２８ａ    アーム用ハンドル
２９    横支持部
２９ａ    支持ハンドル
３１    第１の鏡ユニット
３３    第１の鏡ホルダ機構
３５    第１の鏡
３６    第１の縦支持部
３６ａ    第１の縦支柱用ハンドル
３７    第１の連結アーム
３８    第１の横支持部
３８ａ    第１の横支持ハンドル
３９    第１の固定部
４１    第１のピン
４３    第１のフレキシブルアーム
５１，５１´    試料
５１ａ    試料の上面
６１    第２の鏡ユニット
６３    第２の鏡ホルダ機構
６５    第２の鏡
６７    第２の連結アーム
６８    第２の支持部
６９    第２の固定部
７１    第２のピン
７３    第２のフレキシブルアーム
７３ａ    第２の雄ネジ部
７５    第２の縦支持アーム
７７    第２の縦支持ハンドル
７８    第２の横支持ハンドル
Ｉ    縦方向
II    横方向
【図１】
2008241859.tif 000003
【図２】
2008241859.tif 000004
【図３】
2008241859.tif 000005
【図４】
2008241859.tif 000006
【図５】
2008241859.tif 000007